(57)【要約】【課題】製造コストを効果的に低減しつつも、形状に面白みをもたせることが可能な構成をなす照明装置を提供する。【解決手段】照明装置１は、一面を開放させた箱状をなす一対の外殻部１１（１１Ａ，１１Ｂ）と、この外殻部１１の一側縁に設けられて両外殻部１１を互いに開閉回動可能にする蝶番等の連結部材１５とが設けられた構成の旅行カバン様構造体１０を有している。その構造体１０は、外殻部１１の上部又は側部に取付けられた把手部１３と、外殻部１１の下部に取付けられたキャスター１７とを備えた構成をなしている。そして、構造体１０において、外殻部１１は透光性の樹脂材料にて形成されており、構造体１０の内部に配置された後述する光源からの光を透過して照明光を発するように構成されている。【選択図】　図１
2004109451.tif 000002
【特許請求の範囲】
【請求項１】
一面を開放させた箱状をなす一対の外殻部と、
この外殻部の一側縁に設けられて両外殻部を互いに開閉回動可能にする蝶番等の連結部材と、
前記外殻部の上部又は側部に取付けられた把手部と、
前記外殻部の下部に取付けられたキャスターとを備えた旅行カバン様構造体を有し、
前記外殻部を透光性の樹脂材料にて形成すると共に、前記旅行カバン様構造体内に光源を設けたことを特徴とする照明装置。
【請求項２】
前記旅行カバン様構造体とは別体に形成された支持台を備え、　前記旅行カバン様構造体は、前記外殻部の周囲に係合部が突設されており、他方、前記支持台には、前記係合部と係合し合う被係合部が設けられ、この被係合部が前記係合部と係合し合うことにより前記旅行カバン様構造体が前記支持台にて所定高さに支持されることを特徴とする請求項１に記載の照明装置。
【発明の詳細な説明】
【０００１】
【発明の属する技術分野】
本発明は、照明看板などに用いられる照明装置に関する。
【０００２】
【従来の技術】
従来、照明光を発する照明装置として様々なものが提供されており、その一例を挙げると、光透過性を有する外殻部分に文字、図形等を表示して、その表示部を目立たせ、宣伝効果を高めるような照明看板が提供されている。このような照明看板としては、例えば、金属部材にて外枠を形成すると共に、その外枠と光透過性の樹脂板やガラズ板からなる表示板により箱型の外殻部分を形成し、その内部に光源を配置して表示板を内部から光らせるようなものが提供されている。このような構成によれば、表示板が特に暗闇などにおいて光を発することとなるため、板面に表示された店名や商品名などを効果的に目立たせることができ、宣伝効果を高めることが可能となる。このような照明看板に関する先行技術としては、以下に記載の特許文献１のようなものがある。
【０００３】
【特許文献１】
特開２００１−６００６９公報
【０００４】
【発明が解決しようとする課題】
ところで、上記のような照明装置は、その形状も様々であるが、例えば、上記のような表示部を例えば一枚板のような単純な形状にて形成すればその表示部を安価に製造することが可能となる。しかしながら、このような一枚板のものでは形状が画一的となるため、意匠性に乏しく、特に照明看板として構成するような場合には人目を引きにくい可能性がある。これに対し、表示部を意匠性に優れた立体形状として付加価値の高い照明装置を製造しようとすると、単純形状の表示部と比較して製造コストが高くなる可能性がある。例えば、立体的形状を有する所望の表示板を製造しようとした場合、その望むべき製品形状に適した金型を作製する必要があり、このような金型作製に伴う費用が製造コストにおいてある程度の割合を占めることとなる。従って、このような製造コストを効果的に低減できる構成であって、かつ意匠性に優れた面白みのある形状をなす装置構成が望まれる。
【０００５】
本発明は上記のような事情に基づいて完成されたものであって、製造コストを効果的に低減し得る構成としつつ、形状にも面白みがあり意匠性に優れた構成をなす照明装置を提供することを目的とする。
【０００６】
【課題を解決するための手段】
上記の目的を達成するための手段として、請求項１の発明は、照明装置において、一面を開放させた箱状をなす一対の外殻部と、この外殻部の一側縁に設けられて両外殻部を互いに開閉回動可能にする蝶番等の連結部材と、前記外殻部の上部又は側部に取付けられた把手部と、前記外殻部の下部に取付けられがキャスターとを備えた旅行カバン様構造体を有する構成とし、前記外殻部を透光性の樹脂材料にて形成すると共に、前記旅行カバン様構造体内に光源を設けた構成としたところに特徴を有する。
【０００７】
請求項２の発明は、請求項１に記載のものにおいて、前記旅行カバン様構造体とは別体形成された支持台を備え、前記旅行カバン様構造体は、前記外殻部の周囲に係合部が突設されており、他方、前記支持台には、前記係合部と係合し合う被係合部が設けられ、それら係合部及び被係合部の係合により前記カバン様構造体が支持台にて所定高さに支持されるところに特徴を有する。
【０００８】
【発明の作用及び効果】
＜請求項１の発明＞
請求項１のような構成とすることにより、旅行カバンと同形状となるため、旅行カバンの製造において使用する金型を照明装置の製造においても利用でき、照明装置の製造において特別に金型を作成する必要がなくなり、ひいては製造コスト低減を効果的に図ることが可能となる。即ち、金型作製は単一の金型で製造する製品数が多いほど、製品原価に占める割合を低減することができるため、単一の金型でより多くの製品を製造することが望まれるが、本発明の構成によれば、旅行カバンという照明装置とは全く異なる他分野の金型を利用でき、コスト低減を大幅に図り得る構成となる。また、外殻部の開閉を、旅行カバンのように簡単に行い得る構成となるため、内部のメンテナンス（例えば、光源装置の故障の際の修理や寿命によるランプの変更等）を容易に行うことができ、極めて使いやすい構成となる。また、開閉容易な構造となるため、内部光源の変更などを行いやすく、適用対象に合わせた構成変更が行いやすい構成となる。
【０００９】
さらには、把手部及びキャスターが設けられることにより移動が行いやすい構成となり、例えばこのような照明装置を照明看板として構成した場合に、従来の照明看板と比較してその利用に関する自由度が増すこととなる。すなわち、例えば、本拠地とは異なる遠隔地などで営業行為を行おうとした場合に、従来のような照明看板であると、その搬送の際に労力を伴い大変なものとなるため遠隔地にこのような照明看板を手軽に持ち運ぶようなことは行われていなかったが、本発明の構成によれば、容易に搬送することが可能となり、非常に有用なものとなる。また、旅行カバン様の立体的な構造を有する照明装置であるため、従来にはない意匠性にも優れたものとなるため、照明看板として用いた場合には、人目につきやすく興味を引くという効果をも期待できる。
【００１０】
＜請求項２の発明＞
請求項２のような構成とすることにより、旅行カバン様構造体を安定して配置することが可能な構造となり、照明装置の移動、転倒などを効果的に防止できる構成となる。また搬送等の移動時を考えてみると、旅行カバン様構造体と支持台とが別体に形成されるためこれらを別々に移動することが可能となり、この場合、旅行カバン様構造体については、把手部及びキャスターが設けられることにより持ち運びが非常に行い易くなり、また、支持台についても、旅行カバン様構造体と分離することにより軽量なものとできるため同じく持ち運びし易くなる。また、このような分離構成とすれば、仮に支持台が必要ない場合であっても、旅行カバン様構造体のみで用いることができ、使用状況に合わせ易い構成となる。
【００１１】
【発明の実施の形態】
以下、本発明の実施形態を添付図面に基づいて説明する。
＜第１実施形態＞
本発明の第１実施形態を図１ないし図６を参照して説明する。
図１の斜視図にて示すように、本発明の第１実施形態にかかる照明装置１は、一面を開放させた箱状をなす一対の外殻部１１と、この外殻部１１の一側縁に設けられて両外殻部１１を互いに開閉回動可能にする蝶番等の連結部材１５が設けられた構成の旅行カバン様構造体１０（以下、単に構造体１０ともいう）を有している。その構造体１０はさらに、外殻部１１の上部又は側部に取付けられた把手部１３と、外殻部１１の下部に取付けられたキャスター１７とを備えた構成をなしている。そして、構造体１０において、外殻部１１は透光性の樹脂材料にて形成されており、構造体１０の内部に配置された後述する光源からの光を透過して照明光を発するように構成されている。
【００１２】
図２及び図４に示すように、外殻部１１は、開口端縁を有する形態にて一面が開放された有底箱状の２つの外殻部、即ち、第１の外殻部１１Ａ（以下、単に外殻部１１Ａともいう）と、第２の外殻部１１Ｂ（以下、単に外殻部１１Ｂともいう）とが設けられている。なお、本実施形態にておいては、第１の外殻部１１Ａ及び第２の外殻部１１Ｂを総称して外殻部１１と呼ぶものとする。そして、その外殻部１１の開口端縁において、環状のフレーム部１２が配設されている。フレーム部１２は、例えば、金属材料にて形成されるものであり、各々の外殻部１１Ａ，１１Ｂの開口端縁においてそれぞれ第１のフレーム部１２Ａ（以下、単にフレーム部１２Ａともいう），及び第２のフレーム部１２Ｂ（以下、単にフレーム部１２Ｂともいう）が設けられている（なお、フレーム部１２Ａ，１２Ｂを総称してフレーム部１２とも呼ぶものとする）。それらフレーム部１２Ａ，１２Ｂは、ほぼ同じサイズの環状に形成されており、それらフレーム部１２Ａ，１２Ｂは、いずれか一方のフレーム部に他方のフレーム部が嵌り込むような形態をなすか、又は両フレーム部の互いの端縁同士が合わさるような形態をなすようにして外殻部１１Ａ及び外殻部１１Ｂの開口端縁が互いに塞がれた閉塞状態となる（図１参照）。外殻部１１とフレーム部１２とは、例えば、接着媒体や締結部材により固定しても良いし、これらを同一材料にて構成し、例えば射出成型などにより一体的に成型するようにしてもよい。
【００１３】
図１のような閉塞状態においては、図５及び図６の側面図にて示されるように、各外殻部１１Ａ及び１１Ｂが、フレーム部１２の両端縁１２Ｃ，１２Ｃより前後に相当量盛り上がる形態をなしており、フレーム部１２の全体厚さＴａよりも、外殻部１１Ａ及び１１Ｂの占める厚さ（Ｔｂ＋Ｔｃ）のほうが大きくなっている（即ち、Ｔｂ＋Ｔｃ＞Ｔａ）。なお、本実施形態においては、一対の外殻部１１Ａ，１１Ｂが対向する向きを厚さ方向としており、図５の例では、法人名、商品名、役務名などの文字や図形などが記された表示部１０１（図１，図３参照）が描画される平面部１００と直交する方向が厚さ方向となっている。そして、その厚さ方向において、一方側を前方側（矢印Ａ側）、他方側を後方側（矢印Ｂ側）としている。このように、外殻部１１の厚さを大きくすることにより、単なる平面板の構成と比較して発光する領域を広くとることが可能となり、かつ発光部の形状が立体的で面白みのある形状となる。
【００１４】
さらに２つのフレーム部１２Ａ，１２Ｂを連結する形態にて、蝶番１５が複数箇所（本実施形態では２個所）取付けられており、その蝶番１５により、外殻部１１Ａ，１１Ｂが開閉回動可能となっている。この蝶番１５は、金属材料からなるフレーム部１２に対して螺子等の連結部材により固定されるものであり、本実施例では鉛直上下方向と平行な軸線周りに回動するように配置されている。従って、外殻部１１Ａ，１１Ｂが互いに、鉛直上下方向と平行な軸線まわりに回動するように構成されており、容易に開閉操作を行うことのできる構成となっている。即ち、一方の外殻部を、鉛直上下方向に動かす必要がなく、力をかけずとも楽に開閉できる構成となっている。
【００１５】
図３ないし図６にて示すように、キャスター１７は、各々の外殻部１１Ａ，１１Ｂのそれぞれの下部に複数個ずつ取付けられる形態をなしている。本実施形態においては、図３に示すように、各々の外殻部１１Ａ，１１Ｂの下部において、それぞれキャスター１７が２つずつ取り付けられ、計４つのキャスター１７が設けられている。なお、図３，図４及び図５ではキャスター１７の下に、後述するキャスター保持部３０を配置した例を示している。これらキャスター１７は、車輪１７Ａと、その車輪１７Ａを回転可能に保持する車輪保持部１７Ｂを有してなり、車輪１７Ａは、車輪保持部１８Ｂに形成された図示しない回転軸の周りを回転するような形態にて設けられる。また、車輪保持部１７Ｂは、外殻部１１Ａ，１１Ｂに対し、螺子等の締結部材、或いは接着媒体などにより直接固定されている。そして、図４のように、照明装置１をその設置面上に配置した状態においては、全てのキャスター１７がその設置面上に載置された状態となり、その載置状態で設置面上を転動することとなる。従って図１のような閉塞状態から、図４のように開く場合には、キャスター１７に設けられた車輪１７Ａが載置面を転働しつつ開放位置に移動するため、外殻部１１は下部を支持された状態で移動することができ、蝶番１５に生じる負荷は、下部を支持しない構成よりも大幅に軽減されることなり、部品消耗の少ない構成となる。
【００１６】
さらに、図３、図５及び図６に示すように、キャスター１７の下部には、各々のキャスター１７を載せることにより車輪１７Ａを固定するキャスター保持部３０を設けることができる。これにより、照明装置１を安定して設置できることとなる。具体的に言えば、キャスター保持部３０には車輪１７Ａと車輪保持部１７Ｂに対応した形状の溝３０Ａが形成されており、この溝３０Ａ内に車輪１７Ａ及び車輪保持部１７Ｂの一部又は全部が嵌り込むことにより、車輪１７の転動が防止されてキャスター１７がキャスター保持部３０上に安定的に位置保持されることとなる。
【００１７】
また、図１及び図２に示すように、把手部１３は、外殻部１１の上部に取り付けられており、樹脂部材や、金属部材、或いはそれらが組み合わされた構成などとして形成されるものである。本実施形態では、可撓性を有する板状の樹脂部材にて把手部１３が形成されており、両端がそれぞれ固定部１４内において固定される形態をなす。なお、把手部１３の形状はこれに限らず様々な形状を採用することができる。またその数についても、１つに限らず複数個設けるようしてもよい。さらに、本実施形態においては、外殻部１１の上部に把手部１３を取り付けるようにしたが、側部に取付けるようにしてもよい。このような把手部１３を設ける構成とすることにより、照明器具１を持ち運びやすくなり、把手部１３を持ちつつキャスター１７を転がすようにして移動させるようにすれば、一般的に持ち運びにくい照明看板などにおいては特に有効となる。
【００１８】
次に、外殻部１１の内部に配置された光源装置２０について説明する。図２に示すように、本実施形態においては、一方の外殻部（ここでは第２の外殻部１２Ｂ）に固定される形態にて蛍光灯２１が配置されており、グローランプ２３及び安定器２５がそれぞれ設けられている。安定器２５から外部に延設される形態にて電線１９が設けられており、その電線１９の先端にはコンセント１８が設けられている。このような構成により、例えば家庭用電源等の交流電源を用いて光源装置２０に対して電力供給するようにしている。
【００１９】
また、光源装置２０はいずれか一方側の外殻部１１のみに固定する構成とすることができる。ここでは、蛍光灯２１、グローランプ２３及び安定器２５が、上下方向に延びるフレーム２７に固定された形態をなしており、そのフレーム２７が第２の外殻部１１Ａに直接、又はフレーム部１２Ｂを介して固定されている。さらに、図２の例では、直線状の蛍光灯２１を複数本（ここでは２本）用いており、この蛍光灯が平行に並んだ状態で配置されている。なお、この配置例はあくまで一例であり、単一の蛍光灯のみを配置してもよく、３本以上配置してもよい。また、形状についても、直線状に限らず、環状、球状等の他形状の蛍光灯を取付けるようにしてもよい。また、蛍光灯に限らず、白熱灯、ハロゲンランプや、高圧ナトリウムランプ、メタルハライドランプ、水銀ランプなどのＨＩＤランプ等、種々の光源を用いるようにしてもよい。
【００２０】
また、ネオン管を光源として用いるようしてもよい。例えば、管状のガラス部の折り曲げにより、文字、図形等、様々な形状をなすように構成し、ネオンサイン等として用いることができる。この場合、外殻部１１を構成する透光性材料として透明材料を用い、ネオン管の形状、発光態様が外殻部１１を通して視認できるようにするとよい。これ以外にも、ＬＥＤなどの光源を利用することが可能である。
【００２１】
また、図２及び図４に示すように、本実施形態の照明装置１においては、２つの外殻部１１の一方に、他方の外殻部に形成された扉閉塞用被係合部３０（以下、単に係合部３０ともいう）と係合するための扉閉塞用係合部（以下、単に係合部３１ともいう）が設けられている。これら係合部３０及び被係合部３１は、各々の外殻部１１において、蝶番が取付けられた側部側とは反対側の側部に取付けられた構成をなす。具体的には、図４に示すように、第１の外殻部１１Ａの開口端部において係合部３１が２個所設けられており、他方、第２の外殻部１１Ｂの開口端部において、それら係合部３１と係合するための被係合部３０が２個所形成されている。
【００２２】
図４の例では、被係合部３０は、突起状に形成された係合部３１が進入するように構成された穴部３５Ａと、レバー操作により回動する回動片３３と、穴部３５Ａ内において、係合部３１に形成された係合穴３１Ａ内に進入する構成をなす係合突起３３Ａを備えた構成をなしている。図４は回動片３３が開位置にある状態を示しており、係合部３１が穴部３５Ａに侵入した状態において、回動片３３を回動させることにより、係合突起３３Ａが係合穴３１Ａに進入し、その状態で回動片３３が位置保持されることにより係合部３１が穴部３５Ａから抜け止めがなされるようになっている。なお、ここに示す係合構造はあくまで一例であり、両外殻部１１を閉塞した状態で保持できる構成であれば別の係合構造を採用してもよい。
【００２３】
また、本実施形態においては、係合部３１及び被係合部の係合状態で、その係合状態の解除操作を防止するための鍵機構が設けられており、側部において鍵操作を行うための鍵穴３１が形成されている。鍵機構の具体的な構造については、様々なものを利用することができ、図６のような鍵の挿入操作による鍵機構や、ナンバー式の鍵機構、或いはそれらが複合された機構など様々な構成を利用できる。ここでは、施錠することにより回動片３３の回動が拘束される構成をなし、その拘束により外殻部１１の開放を防止するようにしている。
【００２４】
＜第２実施形態＞
次に、本発明の第２実施形態を図７ないし図１４を参照しつつ説明する。
第２実施形態の照明装置１では、第１実施形態とほ同じ構成の旅行カバン様構造体１０を用いているが、その構造体１０において後述する係合部４０が設けられた点が第１の実施形態とは異なる。この構造体１０に関し、その他の部分については、第１実施形態と同様であるので、同一の符号を付して図面に示し、係合部４０及びそれに関連する構成以外の上述した構成については説明を省略する。
【００２５】
第２実施形態では、図７の斜視図、図１３の正面図、及び図１４の側面図に示すように、照明装置１は、旅行カバン様構造体１０と、その旅行カバン様構造体１０とは別体形成された支持台５０とが備えられた構成をなしている。そして、旅行カバン様構造体１０は、外殻部１１の左右両側部において、当該旅行カバン様構造体１０を支持台５０に支持させるための一対の支持用係合部４０（以下、単に係合部４０ともいう）がそれぞれ突設されており、他方、支持台５０には、この支持用係合部４０と係合し合う一対の支持用被係合部５１（以下、単に被係合部５１ともいう）が設けられ、それら係合部４０及び被係合部５１の係合により旅行カバン様構造体１０が支持台５０にて所定高さに支持されるようになっている。支持台５０は、中空状又は中実状の金属棒材が曲げ加工されて、脚部５５Ａ、直棒部５５Ｂ、及び曲がり部５５Ｃが形成された一対の側部を有し、それら側部が、連結部５３により連結された構成をなす。
【００２６】
図８の正面図及び図９の側面図に示すように、構造体１０に設けられた係合部４０は、構造体１０における上下方向ほぼ中央位置、かつ前後方向ほぼ中央位置において、その構造体１０の側部からさらに側方に突出する形態にて軸状に形成されており、その係合部４０の端縁から所定距離構造体１０側に寄った位置に、係合溝４０Ｃが形成されている。この係合部４０は、図１０に示すように第２の外殻部１１Ｂを貫通する形態にて配置されており、内部側の端縁付近には雌螺子部材４２（例えば六角ナット等）と螺合可能となるように螺刻部４３が形成される形態をなしている。
【００２７】
図１１は係合部４０及び被係合部５１の近傍を拡大して示し、さらにその係合構造を説明する説明図である。なお、図１１（Ａ）は図１２のような取付け前（即ち係合前）の図であり、図１１（Ｂ）は、図７のような取付け後（即ち係合後）の図である。この説明図にて示されるように、軸状に形成される係合部４０は、外殻部１１の板面から直交又はほぼ直交する形態にて突出した構成をなしており、外殻部１１の外側においては円柱状に形成され、かつその端縁から所定距離隔てた位置の外周面において、その周方向に係合溝４０Ｃが形成されている。その係合溝４０Ｃの溝幅は、被係合部５１の板厚と同じか、それよりやや大きくなるように形状調整されている。
【００２８】
一方、被係合部５１は、図１１（Ｂ）のような取付け状態においてその板面が係合部４０と交差する（具体的には直交する）ように板状に形成されており、図１２に示すように、上部の縁部に切欠部５１Ａが形成されている。この切欠部５１Ａの幅は、図１１（Ａ）に示すような係合部４０における径の大きい径大部４０Ａの径よりも小さく、径の小さい径小部４０Ｂの径よりも大きく形成されており、図１１（Ｂ）に示す係合状態においては、係合部４０の軸線方向に関するそれら係合部４０及び被係合部５１の互いの相対移動が拘束された状態にて係合部４０の下方が支持される。その係合状態を解除する場合には、係合部４０を上方へ相対移動させて切欠部５１Ａより抜くこととなる。このようにすれば、設置時には、支持台５０にて設置面に安定的に載置されることとなり、一方、移動時にはその支持台５０より容易に取り外すことができ、かつキャスターにより楽に持ち運びができる構成となる。
【００２９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、例えば、家庭用電源などの交流電源を用いて光源装置に対して電力を供給するように構成したが、構造体１０内に充電可能な蓄電池を備え付けるような構成とし、その蓄電池により光源装置に対して電力供給するようにしてもよい。或いは、太陽電池等の発電装置により光源装置に電力供給するように構成してもよい。この場合、外殻部１１の外部にソーラーパネルを配置するようにしてもよく、外殻部１１の一部又は全部を透明材料にて形成して内部にパネルを配置するようにしてもよい。
（２）上記実施形態では、キャスターを下部に配置するようにしたが、キャスターに代えて、車輪を有さない脚部を取付けるようにしてもよい。
（３）上記実施形態では、照明看板として構成される照明装置を例示したが、看板として用いずに、看板機能を有さない照明器具として用いるようにしてもよい。
（４）上記実施形態では、外殻部全体を透光性材料にて形成する例を示したが、一部分のみを透光性材料にて形成するようにしてもよい。
（５）上記実施形態では、フレーム部と外殻部を一体的に固定する形態について示したが、これらを取り外し可能な形態にて固定するようにしてもよい。
【図面の簡単な説明】
【図１】本発明の第１実施形態にかかる照明装置を示す斜視図
【図２】図１の照明装置の内部構造を示す斜視図
【図３】図１の照明装置の正面図
【図４】図１の照明装置の内部構造を示す図
【図５】図１の照明装置の右側面図
【図６】図１の照明装置の左側面図
【図７】本発明の第２実施形態に係る照明装置を示す斜視図
【図８】本発明の第２実施形態にかかる照明装置における旅行カバン様構造体を示す正面図
【図９】図８の右側面図
【図１０】図８の内部構造を示す図
【図１１】係合構造を示す説明図
【図１２】図１０の照明装置の係合前の状態を示す斜視図
【図１３】図７の照明装置の正面図
【図１４】図７の照明装置の右側面図
【符号の説明】
１…照明装置
１０…旅行カバン様構造体
１１…外殻部
１３…把手部
１５…蝶番（連結部材）
１７…キャスター
４０…係合部
５０…支持台
５１…被係合部
【図１】
2004109451.tif 000003
【図２】
2004109451.tif 000004
【図３】
2004109451.tif 000005
【図４】
2004109451.tif 000006
【図５】
2004109451.tif 000007
【図６】
2004109451.tif 000008
【図７】
2004109451.tif 000009
【図８】
2004109451.tif 000010
【図９】
2004109451.tif 000011
【図１０】
2004109451.tif 000012
【図１１】
2004109451.tif 000013
【図１２】
2004109451.tif 000014
【図１３】
2004109451.tif 000015
【図１４】
2004109451.tif 000016